(57)【要約】      （修正有）【課題】地下室の空気を地上室に、地上室の空気を地下室にそれぞれ送って階層間熱交換を図って即時に快適な室内環境が得られるようにし、冷暖房設備の効率化ないし節約化の実現を可能にする建物の階層間熱交換装置を提供する。【解決手段】建物の階層間熱交換装置は、地下室２と地上室３とを有する建物Ｈにおいて、地下室２と地上室３とを結ぶ連通パイプ４、５と、連通パイプ内の空気を吐出させる吐出ファン６、７とからなり、連通パイプ内の空気を室内に吐出させる程度のファン動力で快適さが作れるように構成し、連通パイプの１本は地階室側の端部、他の１本は地上室側の端部にそれぞれ吐出ファンを備え、室間を専用のパイプで結ぶように構成した。【選択図】図１
0003141616.tif 000002
【実用新案登録請求の範囲】
【請求項１】
地下室と地上室とを有する建物において、前記地下室と地上室とを結ぶ連通パイプと、該連通パイプ内の空気を吐出させる吐出ファンとからなることを特徴とする建物の階層間熱交換装置。
【請求項２】
地下室と地上室とを有する建物において、前記地下室と地上室とを結ぶ連通パイプと、該連通パイプ内の空気を吐出させる吐出ファンとからなり、前記連通パイプが２本で、１本は地上室側の端部、他の１本は地下室側の端部にそれぞれ吐出ファンを備えていることを特徴とする建物の階層間熱交換装置。
【考案の詳細な説明】
【技術分野】
【０００１】
本考案は、地下室と地上室とを有する建物内の快適な室内環境を作ることのできる建物の階層間熱交換装置に関するものである。
【背景技術】
【０００２】
一般に、地下室と地上室とを有する建物では、大気温の影響で地下室の温度は低く、地上室の温度は高くなる。特に、夏場では、地下室では１６°Ｃぐらいであっても、地上室では３５°Ｃを超えることはしばしばある。高温になる地上室ではクーラーが欠かせない。
【考案の開示】
【考案が解決しようとする課題】
【０００３】
しかしながら、クーラーは作動後、部屋全体に冷気を充満させるには、少くなくない時間を要し、低温の地下室でいったん涼みたいという境地になるが、いちいち地下室内に逃げ込むことは面倒であり、通常ではクーラーが効いてくるまでの間、熱さを我慢しているのが実情である。
【０００４】
本考案は、上記問題を解消するためのもので、その目的とするところは、地下室の空気を地上室に、地上室の空気を地下室にそれぞれ送って階層間（地下室と地上室との間）にて熱交換を図って即時に快適な室内環境が得られるようにし、冷暖房設備の効率化ないし節約化の実現を可能にするところにある。
【課題を解決するための手段】
【０００５】
上記目的を達成するため、本考案に係る建物の階層間熱交換装置は、地下室と地上室とを有する建物において、前記地下室と地上室とを結ぶ連通パイプと、該連通パイプ内の空気を吐出させる吐出ファンとからなることを特徴とし、連通パイプ内の空気を室内に吐出させる程度のファン動力で快適さが容易に作れるように構成した。
【０００６】
また、請求項２に記載の考案に係る建物の階層間熱交換装置は、地下室と地上室とを有する建物において、前記地下室と地上室とを結ぶ連通パイプと、該連通パイプ内の空気を吐出させる吐出ファンとからなり、前記連通パイプが２本で、１本は地上室側の端部、他の１本は地下室側の端部にそれぞれ吐出ファンを備えていることを特徴とし、室間を専用のパイプで結ぶように構成した。
【考案の効果】
【０００７】
本考案に係る建物の階層間熱交換装置によれば、吸引口が地下室にある連通パイプ内の空気を、たとえば地上室内に吐出させれば、地下室内の空気は自然と連通パイプ内に入るから小さい動力で地下室から地上室へ、地上室から地下への空気の循環を行わせることが可能となる上に、両室に設置の冷暖房設備の効率化及び電気代等の節約を可能にするという優れた効果を奏するものである。
【０００８】
また、請求項２に記載の建物の階層間熱交換装置によれば、地上及び地下室間を専用のパイプで結び、空気の循環を効率的に行わせるため、両室間の対流が自然な状態で行われるという優れた効果を奏するものである。
【考案を実施するための最良の形態】
【０００９】
次に、本考案の実施をするための最良の形態を図面に基づいて説明する。図１は地下１階、地上２階の建物の主要部の略示的断面図、図２は吐出ファンの拡大断面図、図３は吸引口の拡大断面図である。
【００１０】
１は本願装置で、該本願装置１は、建物Ｈの地下室２と、地上室（２階部分）３とを結ぶ連通パイプ４、５と、該連通パイプ４、５内の空気を吐出させる吐出ファン６、７とからなる。この連通パイプ４、５は、前記地下室２の下層（床側）と、地上室３の上層（天井側）を結んでいる。冷えた空気は重く床側に溜まり、暖かい空気は軽く天井側に集まるためである。前記連通パイプ４、５の他の端部には吸引口８、９が設けられている。
【００１１】
前記連通パイプ４、５は、図１の例では、２本（複数）並設させ、それぞれの端部に吐出ファン６、７と、吸引口８、９を設けているが、１本の連通パイプの両端に吸引口を兼ねて吐出ファンを設けてもよい。この場合には、一方の吐出ファン６を作動させているときは、他方の吐出ファン７が停止するように連動するとよい。
【００１２】
また、建物Ｈが、図１の如く、地下１階と、地上２階である場合において、地下室２と地上の１階部分と、地下室２と地上の２階部分とをそれぞれ２本づつの連通パイプにて結び（都合４本）、それぞれのパイプ端に吐出ファン６、７及び吸引口８、９を設けても良いが、２本の連通パイプ４、５の途中に分岐部（図示せず）を設け、該分岐部にダンパー（図示せず）を設け、適時、ダンパーを切り替えることにより地下室２と地上の１階部分と、地下室２と地上の２階部分とを選択的に熱交換ができるようにしてもよい。なお、建物Ｈは、図示の如く、地下１階と地上２階に限らない。例えば、地下１階と地上３階その他もあり得ることは勿論である。
【００１３】
前記連通パイプ４、５は、図１の如く、建物Ｈの壁面内に埋設するが、建設後、外壁に沿わせて後付けしてもよい。特に、外壁への後付けには断熱材で周囲をガードしてパイプ内の空気温が外気温に左右されないようにするとよい。この連通パイプ４、５の材質は、特に限定しないが、ステンレス等の金属パイプでもプラスチックパイプでもよい。
【００１４】
前記吐出ファン６、７は、図２の如く、パイプの内面に静翼１０を介して固定した基部１１に軸支されたボス１２に動翼１３を植設（ボスと動翼とを一体鋳造のものもある）したもの（軸流ファン）を設置し、パイプ内の空気を矢印の如く吐出できるようになっている。圧力は換気扇のように０（ゼロ）ないし０に近いのもので充分である。たとえば、トイレ用の換気扇として使用している松下電器産業社製のＦＴ−０８ＰＴ７を用いて満足できる。
【００１５】
前記吐出ファン６、７の作動は、前記基部１１に内蔵した電動モータ（図示せず）をファン近傍に設けたスイッチ１４を用いてオン、オフするように構成しているが、リモコンスイッチを利用することもある。
【００１６】
前記吸引口８、９は、図３の如く、網体（格子状でもよい）１５が設けられている。これはパイプ４、５内に大きなゴミが吸引されないようにしている。もちろん、粉塵の多い室間の熱交換には空気を通し易い目の細かい素材（家庭用電気掃除機に使用している濾紙など）を用い、粉塵までも吸引しないように構成することは必要である。
【００１７】
次に、実験例について説明する。まず、地下室２と地上室３が２階立てになっている木造の建物Ｈにおいて、地下室（１０畳相当）２の床側と地上室（２階部分１０畳相当）３の天井側とをプラスチックパイプからなる連通パイプ４、５で結び、該連通パイプ４、５のうち、一方のパイプ４の地上室側の端部に吐出ファン６を設け、同パイプ４の地下室の端部に吸引口８を設ける。他方のパイプ５の地上室側の端部に吸引口９を設け、同パイプ５の地下室の端部に吐出ファン７を設ける。前記吐出ファンはそれぞれ松下電器産業社製のＦＴ−０８ＰＴ７を用いている。
【００１８】
しかして、昨年の夏、外気温３６°Ｃのときの地下室２の温度は１６°Ｃであった。また、地上室（２階部分）３の温度は３７°Ｃであった。この状況下で、吐出ファン６、７を同時に回したところ、吐出ファン６のすぐ近くでは即時に冷たい空気を浴びることができたし、１０分後に、地上室３の温度及び地下室２の温度を計ったところ、地上室（２階部分）３は２４°Ｃになり、地下室２は２２°Ｃになっていた。なお、地上室及び地下室にはそれぞれクーラーが設置されていたが、この実験中は使わなかったが、並行して使えば、効率化ないし電気料の節約化が実現できるものと確信した。
【産業上の利用可能性】
【００１９】
本願装置は、上述の如く、地階室と地上室とを有する建物内の温度差が無くなり、快適な環境を作ることができ、したがって、家庭は勿論、人の集まる会社、事務所その他の場所などでの利用可能性が極めて高いものである。
【図面の簡単な説明】
【００２０】
【図１】地下１階、地上２階の建物の主要部の略示的断面図である。
【図２】吐出ファンの拡大断面図である。
【図３】吸引口の拡大断面図である。
【符号の説明】
【００２１】
１  本願装置で、該本願装置１は、
２  地下室
３  地上室
４、５  連通パイプ
６、７  吐出ファン
８、９  吸引口
１０  静翼
１１  基部
１２  ボス
１３  動翼
１４  スイッチ
１５  網体
Ｈ  建物
【図１】
0003141616.tif 000003
【図２】
0003141616.tif 000004
【図３】
0003141616.tif 000005